(57)【特許請求の範囲】
【請求項１】
障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、
動物導入口から、前記第１選別領域及び前記第２選別領域側に向けて前記第１対象動物及び前記第２対象動物を案内する誘導路と、
前記第１選別領域を囲うとともに、前記誘導路から前記第１選別領域への第１入口を有する第１柵状部と、
前記第１入口に設けられ、前記第１通抜高さより高く、前記第２通抜高さより低い位置から上方に配置された第１遮断部と、
前記第２選別領域を囲うとともに、前記誘導路から前記第２選別領域への第２入口を有する第２柵状部と、
前記第２入口に設けられ、前記第１乗越高さより高く、前記第２乗越高さより低い位置から下方に配置された第２遮断部とを備えることを特徴とする動物選別装置。
【発明の詳細な説明】
【技術分野】
【０００１】
本発明は、鹿や猪等の野生動物からの農作物被害の防止等を目的とする動物選別装置、潜抜防止柵、乗越防止柵、移動防止柵に関する。
【背景技術】
【０００２】
山林等に生息する野生動物、例えば、鹿（第１対象動物）や猪（第２対象動物）が、山中から人里まで降りてきて、畑の農作物を食い荒らす農作物被害が発生している。この対策として、畑と、この畑の周囲の領域を仕切り、野生動物が畑へ侵入することを防ぐ乗越防止柵が知られている（例えば、特許文献１参照。）。この方法では、畑の周囲を柵で囲むことで、畑への侵入を防いでいる。
【０００３】
このような柵を山中に配置する方法も、同様に知られている（例えば、特許文献２参照。）。このような乗越防止柵は、畑が位置する人里（第１領域）と、野生動物の生息域、例えば山林（第２領域）とを仕切るように設置されている。この乗越防止柵は、人里と山林の境界に、ポール（柱体）を配置し、このポールの、野生動物が乗越えられる高さ以上の高さまで、ネットを取り付けたものである。このような乗越防止柵は、地面から上方に配置されるため、乗越防止のみならず、山林から人里への移動を防止する移動防止柵としても機能する。
【０００４】
ところで、山林に生息する野生動物は草食又は雑食であり、樹木の表皮を餌として食することがある。このため、山林中の野生動物の個体数が増加すると、樹木が食害にあい、林業に多大な被害を与える虞がある。しかしながら、野生動物を駆除することで、個体数が減少すると、例えば猪と鹿の個体数のバランスが崩れ、山林の生態系を破壊する虞がある。このような問題の対策として、上述したような乗越防止柵には、野生動物の捕獲装置が取り付けられている。捕獲された野生動物は、駆除されたり、山林に戻す等して、個体数の調整がされる。
【先行技術文献】
【特許文献】
【０００５】
【特許文献１】特開２００９−０１１２５３号公報
【特許文献２】特開平１０−００４８５４号公報
【発明の概要】
【発明が解決しようとする課題】
【０００６】
上述した乗越防止柵では、次のような問題があった。すなわち、野生動物には、猪や鹿といった、複数種類の動物が含まれる。猪は、鼻で地面に穴を掘る性質があるため、乗越防止柵の下を、穴を掘って潜り抜ける場合がある。また、猪は、鼻部でネットの隙間を広げ、ネットを破損させ、この隙間を広げた穴から通り抜ける場合もある。この穴からは、猪のみならず、鹿が通りぬけることもあり、このため、乗越防止柵及び移動防止柵としての機能を十分に発揮できない虞がある。
【０００７】
更に、生態系維持のためには、猪と鹿の個体数のバランスを維持する必要がある。このため、猪と鹿とは、別々に、個体数の調整をしなければならない。しかしながら、上述した乗越防止柵の捕獲部では、猪と鹿の両方が一緒に捕獲される。この場合、捕獲の後に、猪と鹿とを選別する必要がある。この作業の際に、猪と鹿は、人間に対面することで興奮して暴れだし、人間を襲う虞がある。このため、捕獲後の選別作業は困難であり、危険を伴う問題がある。
【０００８】
そこで本発明は、複数種類の対象動物を、第２領域から第１領域への侵入を防止しつつ、容易に選別することが可能である動物選別装置、潜抜防止柵、乗越防止柵、及び、移動防止柵を提供することを目的としている。
【課題を解決するための手段】
【０００９】
前記課題を解決し目的を達成するために、本発明の動物選別装置、潜抜防止柵、乗越防止柵、及び、移動防止柵は次のように構成されている。
【００１０】
本発明の動物選別装置は、障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部とを備えることを特徴とする。
【発明の効果】
【００１５】
本発明によれば、複数種類の対象動物を、第２領域から第１領域への浸入を防止しつつ、容易に選別することが可能となる。
【図面の簡単な説明】
【００１６】
【図１】本発明の一実施の形態に係る野生動物選別捕獲装置を示す斜視図。
【図２】同野生動物選別捕獲装置の誘導柵を示す断面図。
【図３】同誘導柵の移動防止柵を示す正面図。
【図４】同誘導柵の乗越防止柵を示す正面図。
【図５】同野生動物選別捕獲装置の選別装置を示す平面図。
【図６】同選別装置を二点鎖線Ｓ１−Ｓ１線で切断し、矢印方向に見た形状を示す断面図。
【図７】同選別装置の第１入口を示す正面図。
【図８】第１対象動物と第２対象動物の、通抜高さを比較して示す説明図。
【図９】同選別装置の第２入口を示す正面図。
【図１０】第１対象動物と第２対象動物の、乗越高さを比較して示す説明図。
【発明を実施するための形態】
【００１７】
図１は本発明の一実施の形態に係る野生動物選別捕獲装置１を示す斜視図、図２は野生動物選別捕獲装置１の誘導柵１０を示す断面図、図３は移動防止柵２０を示す正面図、図４は乗越防止柵４０を示す正面図である。
【００１８】
なお、図中Ｂは猪（第１対象動物）、Ｄは鹿（第２対象動物）をそれぞれ示している。一般に、猪Ｂ、鹿Ｄとも４足歩行である。また、図中Ｇは地面を示している。
【００１９】
野生動物選別捕獲装置１は、図１に示すように、山林Ｍに設置されている。野生動物選別捕獲装置１は、猪Ｂと鹿Ｄの餌となる農作物が植えられた畑Ｐが位置する人里（第１領域）Ｆ１と、猪Ｂと鹿Ｄの生息域である動物生息域（第２領域）Ｆ２との境界部Ｆ３に設置されている。
【００２０】
野生動物選別捕獲装置１は、人里Ｆ１と、動物生息域Ｆ２との境界部Ｆ３に沿って張り巡らされた一対の誘導柵１０と、この一対の誘導柵１０に設置された選別装置６０とを有している。一対の誘導柵１０の間には、動物導入口１１が設けられている。
【００２１】
誘導柵１０は、図２に示すように、移動防止柵（潜抜防止柵）２０と、乗越防止柵４０とを有している。
【００２２】
移動防止柵２０は、図３に示すように、境界部Ｆ３に沿って配置され、鉛直方向に直立する柱体２１と、この柱体２１に、ロープ２２を介して取り付けられた網状の柵本体３０とを有している。柱体２１は、例えば、山林に直立する樹木である。なお、柱体２１は、樹木に限られず、金属製のポールを地面に設置し、柱体として用いることも可能である。
【００２３】
柵本体３０は、境界部Ｆ３に沿って、張り巡らされつつ、柱体２１に取り付けられている。柵本体３０は、地面Ｇから、鹿Ｄの体高より高い位置、例えば、１８００ｍｍの高さまで張られている。
【００２４】
柵本体３０は、地面Ｇから順番に、細密網部（細密柵部）３１、網部３３を有している。細密網部３１は、地面Ｇから、猪Ｂの体高より高い位置までの範囲、例えば、地面Ｇから８００ｍｍの範囲に形成されている。
【００２５】
細密網部３１は、地面Ｇから上方に向かって順番に、細密第１網部３１ａ、細密第２網部３１ｂを有している。細密第１網部３１ａは、後述する第１の色であり、細密第２網部３１ｂは、後述する第２の色である。
【００２６】
細密第１網部３１ａは、地面Ｇから上方に、所定寸法、例えば、４００ｍｍの範囲に形成され、境界部Ｆ３に沿って延設されている。細密第２網部３１ｂは、細密第１網部３１ａの上端から、細密網部３１の上端までの範囲、例えば、４００ｍｍの範囲に形成され、境界部Ｆ３に沿って延設されている。
【００２７】
細密網部３１は、複数の隙間３２を有する網構造である。この隙間３２の断面積は、猪Ｂの鼻部ＢＮの先端の、鼻部ＢＮの突出方向に垂直な断面積より小さく形成されている。
【００２８】
網部３３には、細密網部３１の上端から上方に向かって順番に、第１色部３３ａ、第２色部３３ｂ、第３色部３３ｃが形成されている。
【００２９】
第１色部３３ａは、細密網部３１の上端から上方に所定寸法の範囲、例えば、４００ｍｍの範囲に形成されている。第１色部３３ａは、境界部Ｆ３に沿って延びる、第１の色の網状構造を有している。第１の色は、例えば白色である。
【００３０】
第２色部３３ｂは、第１色部３３ａの上端から上方に所定寸法の範囲、例えば、４００ｍｍの範囲に形成されている。第２色部３３ｂは、境界部Ｆ３に沿って延びる、第２の色の網状構造を有している。第２の色は、例えば緑色である。
【００３１】
第３色部３３ｃは、第２色部３３ｂの上端から上方に所定寸法の範囲、例えば、２００ｍｍの範囲に形成されている。第３色部３３ｃは、境界部Ｆ３に沿って延びる、第３の色の網状構造を有している。第３の色は、第１の色と同様の色、例えば、白色である。
【００３２】
移動防止柵２０の動物生息域Ｆ２側には、図２に示すように、移動防止柵２０に沿って潜抜防止部（網状部）５０が設けられている。この潜抜防止部５０は、柵本体３０の下端部から動物生息域Ｆ２側に、地面Ｇに沿って所定寸法、例えば、４００ｍｍだけ延出して設けられている。なお、潜抜防止部５０は、柵本体３０の下端部を曲折して形成することも可能である。
【００３３】
移動防止柵２０の、動物生息域Ｆ２側には、図２に示すように、乗越防止柵４０が設けられている。乗越防止柵４０は、図４に示すように、境界部Ｆ３に沿って配置されたポール（柱体）４１と、このポール４１の、地面から所定の高さに設置された第１ワイヤ４２、第２ワイヤ４３とを有している。
【００３４】
ポール４１は、境界部Ｆ３に沿って複数が配置されている。このポール４１は、金属製であり、地面に垂直に設置されている。なお、ポール４１は、第１ワイヤ（足掛ワイヤ）４２、第２ワイヤ４３を取り付けられれば良く、例えば、立木をポール４１に代えて用いることも可能である。
【００３５】
第１ワイヤ４２は、ポール４１の第１高さＨ１の位置に取り付けられ、境界部Ｆ３に沿って設けられている。第１高さＨ１は、猪Ｂの上肢部（第２前脚部）ＢＬｄが位置する高さであり、例えば、地面から２５０ｍｍの高さである。
【００３６】
猪Ｂの前脚ＢＬは、胴部ＢＢとの接続部である第１関節ＢＬａと、第２関節ＢＬｃ、第３関節ＢＬｅ、第１関節ＢＬａと第２関節ＢＬｃの間の肩部ＢＬｂ、第２関節ＢＬｃと第３関節ＢＬｅの間の上肢部ＢＬｄ、第３関節ＢＬｅより先端側の前肢部ＢＬｄを有している。肩部ＢＬｂは第１関節ＢＬａから後方に曲折する。上肢部ＢＬｄは、第２関節ＢＬｃから前方に曲折する。前肢部ＢＬｆは第３関節ＢＬｅから後方に曲折する。
【００３７】
猪Ｂの前脚ＢＬはこのような構造を有しているため、障害物が上肢部ＢＬｄに前方から接触する場合、上肢部ＢＬｄを後方に曲げることも、上方に曲げることもできない。このため、猪Ｂは障害物を乗越えることが不可能となる。
【００３８】
第１ワイヤ４２は、上腕部ＢＬｄに前方から接触するため、猪Ｂの乗越えを防止する機能を有している。
【００３９】
第２ワイヤ４３は、ポール４１の第２高さＨ２の位置に取り付けられ、境界部Ｆ３に沿って設けられている。第２高さＨ２は、例えば地面から１００ｍｍの高さである。猪Ｂはすり足歩行のため、第２ワイヤ４３に前脚ＢＬが引っ掛かり停止する。
【００４０】
図１に示すように、２つの誘導柵１０の間には、選別装置６０が設けられている。図５は選別装置６０の要部を示す平面図、図６は誘導路７０を示す断面図、図７は第１入口８２を示す正面図、図８は猪Ｂと鹿Ｄの通抜高さを比較して示す説明図、図９は第２入口９２を示す正面図、図１０は猪Ｂと鹿Ｄの乗越高さを比較して示す説明図である。なお、図７中鹿Ｄ、及び、図９中猪Ｂは、比較対象として示すものである。
【００４１】
選別装置６０は、図５に示すように、猪Ｂ及び鹿Ｄを誘導する誘導路７０と、猪Ｂを鹿Ｄから選別して捕獲する第１選別部８０と、鹿Ｄを猪Ｂから選別して捕獲する第２選別部９０とを有している。
【００４２】
誘導路７０は、誘導柵１０の端部と、第１選別部８０及び第２選別部９０の間に設けられている。誘導路７０は、図６に示すように、鉛直方向に起立して延びる複数の縦骨部７１と、これら縦骨部７１に水平に掛け渡された横骨部７２と、これら横骨部７２に取り付けられた壁網部７３と、地面に沿って配置された床網部７４とを有している。誘導路７０は、壁網部７３及び床網部７４で囲まれた通路により、猪Ｂ及び鹿Ｄを第１選別部８０及び第２選別部９０側に案内する機能を有している。
【００４３】
誘導路７０の、誘導柵１０とは反対側に端部には、図５に示すように、第１選別部８０が設けられている。第１選別部８０は、人里Ｆ１の一部である第１選別領域Ｆ４を囲む第１柵状部８１と、この第１柵状部８１の、誘導路７０と第１選別領域Ｆ４との間に形成された第１入口８２とを有している。この第１入口８２には、第１選別領域Ｆ４側にのみ開くことが可能であり、かつ、閉まる方向に付勢されている第１ドア８４が設けられている。この第１入口８２には、更に、図７に示すように、第１遮断部８３が設けられている。また、第１選別領域Ｆ４には、猪Ｂ、鹿Ｄを対象とする餌Ｅが配置されている。
【００４４】
第１遮断部８３は、第１入口８２の、所定の高さである第３高さＨ３から上方に配置されている。この第３高さＨ３は、猪Ｂが下方を通り抜けることが可能であり、かつ、鹿Ｄが下方を通り抜けることが不可能である高さである。
【００４５】
猪Ｂと鹿Ｄとでは体高が異なるため、図８に示すように、障害物に対し、下方を潜り抜け可能である通抜高さの最小値が異なっている。すなわち、猪Ｂの通抜高さの最小値は第１通抜高さＴＨ１であり、鹿Ｄの通抜高さの最小値は、第１通抜高さＴＨ１より高い第２通抜高さＴＨ２である。第１遮断部８３の下端部が位置する第３高さＨ３と、第１通抜高さＴＨ１及び第２通抜高さＴＨ２との関係は、ＴＨ１＜Ｈ３＜ＴＨ２である。
【００４６】
誘導路７０の、誘導柵１０とは反対側に端部には、図５に示すように、第１選別部８０に隣接して、第２選別部９０が設けられている。第２選別部９０は、人里Ｆ１の一部である第２選別領域Ｆ５を囲む第２柵状部９１を有している。第２柵状部９１の、誘導路７０と第２選別領域Ｆ５との間には、第２入口９２が設けられている。この第２入口９２には、第２選別領域Ｆ５側にのみ開くことが可能であり、かつ、閉まる方向に付勢されている第２ドア９４が設けられている。この第２入口９２には、更に、図９に示すように、第２遮断部９３が設けられている。また、第２選別領域Ｆ５には、猪Ｂ、鹿Ｄを対象とする餌Ｅが配置されている。
【００４７】
第２遮断部９３は、第２入口９２の、地面から、所定の高さである第４高さＨ４までの範囲に配置されている。この第４高さＨ４は、鹿Ｄが上方を乗越えることが可能であり、かつ、猪Ｂが上方を乗越えることが不可能である高さを示している。
【００４８】
猪Ｂと鹿Ｄとでは体高が異なるため、図１０に示すように、障害物に対し、上方を乗越可能である乗越高さの最大値が異なっている。すなわち、猪Ｂの乗越高さの最大値は第１乗越高さＮＨ１であり、鹿Ｄの乗越高さの最大値は、第１乗越高さＮＨ１より高い第２乗越高さＮＨ２である。第２遮断部９３の上端部が位置する第４高さＨ４と、第１乗越高さＮＨ１及び第２乗越高さＮＨ２との関係は、ＮＨ１＜Ｈ４＜ＮＨ２である。
【００４９】
上述した、本発明の一実施の形態に係る野生動物選別捕獲装置１は、次のように機能する。
【００５０】
移動防止柵２０では、第１色部３３ａと第２色部３３ｂを、境界部Ｆ３に沿って設けている。第２色部３３ｂの色は、猪Ｂ及び鹿Ｄを対象とし、第１色部３３ａの色に対して識別性を有しているため、猪Ｂと鹿Ｄは、移動防止柵２０の存在を認識することが可能である。
【００５１】
猪Ｂと鹿Ｄは、移動防止柵２０の存在を認識すると、移動防止柵２０を突き抜けようとせず、移動防止柵２０に向かって左右どちらかに移動する。本実施の形態では、選別装置６０の第１選別領域Ｆ４及び第２選別領域Ｆ５に餌Ｅを設けている。このため、餌Ｅの臭いに誘導され、選別装置６０側に移動する。更に、第１色部３３ａと第２色部３３ｂを境界部Ｆ３に沿って設けているため、猪Ｂと鹿Ｄを境界部Ｆ３に沿って、選別装置６０に誘導することが可能である。
【００５２】
また、移動防止柵２０には、隙間３２を有する細密網部３１が設けられている。網の隙間が大きい場合、猪Ｂは、鼻部ＢＮを網の隙間に突き刺し、網を破壊する。しかしながら、細密網部３１の隙間３２の断面積は鼻部ＢＮの断面積より小さく形成されているため、鼻部ＢＮが隙間３２に突き刺されることはなく、移動防止柵２０の破損を防止できる。
【００５３】
乗越防止柵４０では第１ワイヤ４２の高さを、猪Ｂの上腕部ＢＬｄの高さとしている。これにより、猪Ｂは、第１ワイヤを乗越えることが困難であり、したがって、移動防止柵２０の破損を防止するとともに、選別装置６０へ誘導される。
【００５４】
更に、潜抜防止部５０では、猪Ｂの、移動防止柵２０の下方の潜り抜けを防止する。すなわち、猪Ｂは、鼻部ＢＮで穴を掘る性質があるが、本実施の形態では、潜抜防止部５０を設けることで、穴を掘って移動防止柵２０の下方を潜り抜けることを防止できる。
【００５５】
誘導柵１０によって誘導された猪Ｂと鹿Ｄは、更に、動物導入口１１から、選別装置６０内に誘導される。選別装置６０内に誘導された猪Ｂと鹿Ｄは、誘導路７０を第１選別領域Ｆ４、第２選別領域Ｆ５に向かって移動する。
【００５６】
第１選別領域Ｆ４の入口には、猪Ｂのみが通り抜け可能な第１遮断部８３が設けられているため、猪Ｂのみが、第１選別領域Ｆ４に誘導される。一方、第２選別領域Ｆ５の入口には、鹿Ｄのみが乗越え可能な第２遮断部９３が設けられているため、鹿Ｄのみが第２選別領域Ｆ５に誘導される。
【００５７】
また、第１入口８２、第２入口９２にはそれぞれ第１ドア８４、第２ドア９４が設けられている。猪Ｂ及び鹿Ｄは、障害物を押す動作は可能であるが、引く動作は不可能である。このため、第１選別領域Ｆ４、第２選別領域Ｆ５にそれぞれ誘導された猪Ｂ及び鹿Ｄは、第１選別領域Ｆ４、第２選別領域Ｆ５から出ることができない。
【００５８】
これにより、選別装置６０は、猪Ｂを第１選別領域Ｆ４、鹿Ｄを第２選別領域Ｆ５に、それぞれ選別して捕獲することが可能である。
【００５９】
このように、本実施の形態に係る野生動物選別捕獲装置１によれば、誘導柵１０により、猪Ｂと鹿Ｄの、人里Ｆ１への移動を防止するとともに、選別装置６０に誘導し、猪Ｂと鹿Ｄを選別して捕獲することが可能である。これにより、猪Ｂと鹿Ｄによる、畑Ｐの農作物への被害を防止できる。
【００６０】
上述したように、本発明によれば、複数種類の対象動物を、第２領域から第１領域への侵入を防止しつつ、容易に選別することが可能である。
なお、本発明は前記実施の形態に限定されるものではない。例えば、上述した例では、第１色部と第２色部をそれぞれ白色、緑色としたが、これを、猪や鹿を対象とする、識別性を有する他の色の組み合わせとする場合であっても、同様に適用できるのは勿論である。この他、本発明の要旨を逸脱しない範囲で種々変形実施可能であるのは勿論である。以下に、本願出願の当初の特許請求の範囲に記載された発明を付記する。
［１］障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部とを備えることを特徴とする動物選別装置。
［２］地面上の第１領域と、前記地面上の、前記第１領域に隣接する第２領域との間の境界部に設けられ、前記第２領域から前記第１領域への対象動物の移動を防止する潜抜防止柵において、前記境界部に沿って設置され、前記第１領域と前記第２領域とを仕切る柵本体と、前記柵本体の下端部から前記第２領域側に、前記地面に沿って所定寸法だけ延出するとともに、前記柵本体に沿って設けられた網状部とを備えることを特徴とする潜抜防止柵。
［３］地面の第１領域と、前記地面の、前記第１領域に隣接する第２領域との間の境界部に設けられ、猪の、前記第２領域から前記第１領域への移動を防止する乗越防止柵において、前記境界部に配置された柱体と、前記境界部に沿って、前記柱体に取り付けられ、前記猪の前方から、前脚の上腕部に干渉可能である高さに配置された足掛ワイヤとを備えることを特徴とする乗越防止柵。
［４］第１領域と、前記第１領域に隣接する第２領域との間の境界部に設けられ、前記第２領域から前記第１領域への対象動物の移動を防止する移動防止柵において、前記境界部に沿って設置され、前記第１領域と前記第２領域との間を仕切る柵本体と、前記柵本体の前記第２領域側の、上下方向の所定寸法の範囲に形成され、前記境界部に沿って延びる、第１の色の第１色部と、前記柵本体の前記第２領域側の、前記第１色部に隣接し、かつ、上下方向の所定寸法の範囲に設けられ、前記境界部に沿って延びる、前記対象動物を対象とする、前記第１の色に対する識別性を有する第２の色の第２色部とを備えることを特徴とする移動防止柵。
［５］第１領域と、前記第１領域に隣接する第２領域との間の境界部に設けられ、突出する鼻部を有する対象動物の、前記第２領域から前記第１領域への移動を防止する移動防止柵において、前記境界部に沿って設置され、前記第１領域と前記第２領域との間を仕切る柵本体と、前記柵本体の、前記対象動物の体高より高い位置から下方に配置され、前記鼻部先端の、突出方向に垂直な方向の断面積より小である断面積の複数の隙間を有する細密柵部とを備えることを特徴とする移動防止柵。
【符号の説明】
【００６１】
１…野生動物選別捕獲装置、１０…誘導柵、１１…動物導入口、２０…移動防止柵（潜抜防止柵）、２１…柱体、２２…ロープ、３０…柵本体、３１…細密網部（細密柵部）、３１ａ…第１網部、３１ｂ…第２網部、３２…隙間、３３…網部、３３ａ…第１色部、３３ｂ…第２色部、３３ｃ…第３色部、４０…乗越防止柵、４１…ポール（柱体）、４２…第１ワイヤ（足掛ワイヤ）、４３…第２ワイヤ、５０…潜抜防止部（網状部）、６０…選別装置、７０…誘導路、７１…縦骨部、７１…これら縦骨部、７２…横骨部、７３…壁網部、７４…床網部、８０…第１選別部、８１…第１柵状部、８２…第１入口、８３…第１遮断部、８４…第１ドア、９０…第２選別部、９１…第２柵状部、９２…第２入口、９３…第２遮断部、９４…第２ドア、Ｂ…猪（第１対象動物）、ＢＢ…胴部、ＢＬ…前脚、ＢＬａ…第１関節、ＢＬｂ…肩部、ＢＬｃ…第２関節、ＢＬｄ…上肢部、ＢＬｅ…第３関節、ＢＬｆ…前肢部、ＢＮ…鼻部、Ｄ…鹿、Ｅ…餌、Ｆ１…人里（第１領域）、Ｆ２…動物生息域（第２領域）、Ｆ３…境界部、Ｆ４…第１選別領域、Ｆ５…第２選別領域、Ｇ…地面、Ｈ１…第１高さ、Ｈ２…第２高さ、Ｈ３…第３高さ、Ｈ４…第４高さ、Ｍ…山林、ＮＨ１…第１乗越高さ、ＮＨ２…第２乗越高さ、Ｐ…畑、ＴＨ１…第１通抜高さ、ＴＨ２…第２通抜高さ。
【要約】      （修正有）【課題】捕獲した猪や鹿などの複数種類の対象動物を、容易に選別することが可能である動物選別装置を提供する。【解決手段】第１対象動物を、乗越可能である乗越高さの最大値が第１乗越高さＴＨ１である第１選別領域に、第２対象動物を、乗越高さの最大値が第１乗越高さＴＨ１より高い第２乗越高さＴＨ２である第２選別領域に仕分ける動物選別装置において、第１通抜高さＴＨ１より高く第２通抜高さＴＨ２より低い位置から上方に配置された第１遮断部と、第１乗越高さＴＨ１より高く第２乗越高さＴＨ２より低い位置から下方に配置された第２遮断部とを備える。【選択図】図８【図１】
0005887444.tif 000002
【図２】
0005887444.tif 000003
【図３】
0005887444.tif 000004
【図４】
0005887444.tif 000005
【図５】
0005887444.tif 000006
【図６】
0005887444.tif 000007
【図７】
0005887444.tif 000008
【図８】
0005887444.tif 000009
【図９】
0005887444.tif 000010
【図１０】
0005887444.tif 000011